(57)【要約】      （修正有）【課題】電柱に既設されている通信線を利用して、低コストで様々な情報を表示装置を提供する。【解決手段】電柱２００に取り付けられている表示装置３００は、電柱２００に既設されている通信線４００を介してサーバ１００から配信された広告情報や災害復旧情報を受信し、表示部３０７に表示する。表示部３０７は、電柱番号が表示される領域と、電柱の所在地が表示される領域と、広告、ＱＲコード、自社ＰＲ情報、災害復旧情報等が表示される領域が設定され、各情報が同時に表示されるようになっている。【選択図】図１
2008181055.tif 000002
【特許請求の範囲】
【請求項１】
電柱に取り付けられて情報を表示する表示部と各種情報処理を実行する情報処理部を有する表示装置において、
前記情報処理部が、前記電柱に設けられた通信線を介してサーバから送信されてきた表示情報を受信する受信手段と、
前記情報処理部が、前記受信手段によって受信された前記表示情報を記憶部に記憶させる記憶手段と、
前記情報処理部が、前記記憶部に記憶された前記表示情報を前記表示部に表示させる表示手段と、
前記情報処理部が、前記表示部に表示される前記表示情報を所定のタイミングで切り替える切替手段と、
を備えることを特徴とする表示装置。
【請求項２】
前記表示情報には、電柱番号情報、広告情報、自社ＰＲ情報、ＱＲコード情報、電柱所在地情報、災害復旧情報のうちの少なくともいずれかが含まれる
ことを特徴とする請求項１に記載の表示装置。
【請求項３】
前記表示情報に含まれる前記広告情報、前記自社ＰＲ情報、前記災害復旧情報のうちの少なくともいずれかは複数の頁で構成され、前記切替手段は、各頁を所定のタイミングで循環的に切り替えて前記表示部に表示する
ことを特徴とする請求項２に記載の表示装置。
【請求項４】
前記表示部の画面には、前記電柱番号情報が表示される領域と、前記電柱所在地情報が表示される領域と、前記広告情報およびＱＲコード情報、または前記自社ＰＲ情報、または前記災害復旧情報が表示される領域とが設定されている
ことを特徴とする請求項２または３に記載の表示装置。
【請求項５】
電柱に取り付けられて表示情報を表示する表示装置と、前記電柱に取り付けられた通信線を介して前記表示装置に接続され、前記表示装置を制御するサーバとからなる情報表示システムにおいて、
前記サーバは、各種制御処理を実行する制御部と前記表示装置に表示される表示情報を記憶する記憶部とを有し、
前記制御部が、前記表示装置に対して前記記憶部から読み出した前記表示情報を配信する配信手段
を備え、
前記表示装置は、前記表示情報を表示する表示部と各種情報処理を実行する情報処理部とを有し、
前記情報処理部が、前記電柱に設けられた通信線を介して前記サーバから送信されてきた前記表示情報を受信する受信手段と、
前記情報処理部が、前記受信手段によって受信された前記表示情報を記憶部に記憶させる記憶手段と、
前記情報処理部が、前記記憶部に記憶された前記表示情報を前記表示部に表示させる表示手段と、
前記情報処理部が、前記表示部に表示される前記表示情報を所定のタイミングで切り替える切替手段と、
を備えることを特徴とする情報表示システム。
【請求項６】
前記制御部が、前記通信線を介して前記表示装置に対して前記表示部に表示される前記表示情報を切り替えるタイミングを指示する指示手段をさらに備える
ことを特徴とする請求項５に記載の情報表示システム。
【請求項７】
前記切替手段によって前記表示部に表示される前記表示情報が切り替えられる前記タイミングは、隣接する前記電柱に取り付けられた前記表示装置における切り替えのタイミングと所定時間だけずれるように制御される
ことを特徴とする請求項５または６に記載の情報表示システム。
【請求項８】
隣接する電柱に取り付けられた前記表示装置の前記表示部に表示される前記表示情報が切り替えられるタイミングは、歩行者または自動車の移動速度に対応して設定される
ことを特徴とする請求項５乃至７のいずれかに記載の情報表示システム。
【請求項９】
道路沿いに連続して設置された各電柱に取り付けられた前記表示装置の前記表示部に表示される前記表示情報の切り替えは、前記道路沿いに設置された信号の表示が切り替わるタイミングと同期して行われる
ことを特徴とする請求項５に記載の情報表示システム。
【発明の詳細な説明】
【技術分野】
【０００１】
本発明は表示装置および情報表示システムに関し、特に、電柱に取り付けられて電柱番号等を表示する表示装置および情報表示システムに関するものである。
【背景技術】
【０００２】
従来、電柱には電柱番号札が取り付けられており、この電柱番号札には、この電柱の所有者であり管理者である電力会社が電柱を維持管理するために必要な最小限の情報である電柱番号と線路名等が記載されている。
【０００３】
また、インターネット等のネットワークに接続されたインターネットブラウザを搭載したディスプレイ上に、ネットワークに接続された管理センターから提供された看板広告画面を表示し、通行者に看板広告画面を視認させることによって広告効果を高めたり、通行者の属性に応じて表示内容を変更することにより、看板広告の設置効率を向上させるようにしたものがある（例えば、特許文献１参照）。
【０００４】
【特許文献１】特開２００３−１９５７９５号公報
【発明の開示】
【発明が解決しようとする課題】
【０００５】
しかしながら、電柱の公共性を考えると、その設置数が膨大であるにも拘らず、有効に利用されていないという問題があった。
【０００６】
また、特許文献１の発明では、表示装置（ディスプレイ）の近くにＰＣネットワーク環境が必要とされるため、広範囲に設置した複数のディスプレイ上で看板広告画面を同時に表示させることは膨大なコストを要し、実現が困難であるという問題があった。
【０００７】
本発明の目的は、電柱に既設されている通信線を活用して低コストで各電柱に設けた表示装置に様々な情報を表示することができるようにすることである。
【課題を解決するための手段】
【０００８】
本発明の表示装置は、電柱に取り付けられて情報を表示する表示部と各種情報処理を実行する情報処理部を有する表示装置において、前記情報処理部が、前記電柱に設けられた通信線を介してサーバから送信されてきた表示情報を受信する受信手段と、前記情報処理部が、前記受信手段によって受信された前記表示情報を記憶部に記憶させる記憶手段と、前記情報処理部が、前記記憶部に記憶された前記表示情報を前記表示部に表示させる表示手段と、前記情報処理部が、前記表示部に表示される前記表示情報を所定のタイミングで切り替える切替手段と、を備える。
【０００９】
本発明の情報表示システムは、電柱に取り付けられて表示情報を表示する表示装置と、前記電柱に取り付けられた通信線を介して前記表示装置に接続され、前記表示装置を制御するサーバとからなる情報表示システムにおいて、前記サーバは、各種制御処理を実行する制御部と前記表示装置に表示される表示情報を記憶する記憶部とを有し、前記制御部が、前記表示装置に対して前記記憶部から読み出した前記表示情報を配信する配信手段を備え、前記表示装置は、前記表示情報を表示する表示部と各種情報処理を実行する情報処理部とを有し、前記情報処理部が、前記電柱に設けられた通信線を介して前記サーバから送信されてきた前記表示情報を受信する受信手段と、前記情報処理部が、前記受信手段によって受信された前記表示情報を記憶部に記憶させる記憶手段と、  前記情報処理部が、前記記憶部に記憶された前記表示情報を前記表示部に表示させる表示手段と、前記情報処理部が、前記表示部に表示される前記表示情報を所定のタイミングで切り替える切替手段と、を備える。
【発明の効果】
【００１０】
本発明によれば、各電柱に設けられた表示装置に電柱番号のみならず、電柱に既設されている通信線を介してサーバから送信されてきた表示情報を表示することができるので、各電柱に設けられた表示装置において様々な情報の表示および表示内容の変更を低コストかつ効率的に行うことができる。
【発明を実施するための最良の形態】
【００１１】
本発明の実施の一形態を図１乃至図１５に基づいて説明する。図１は、本発明が適用される広告表示システムの構成例を示す図である。同図に示すように、広告表示システムは、サーバ１００と、各電柱２００（以下では、各電柱２００−１，２００−２，２００−３，・・・、を特に区別する必要がない場合、適宜単に、電柱２００と記載する）にそれぞれ取り付けられた情報表示装置３００（以下では、情報表示装置３００−１，３００−２，３００−３，・・・、を特に区別する必要がない場合、適宜単に、情報表示装置３００と記載する）と、各電柱２００に既設されている通信線４００とから構成され、各電柱２００には電力線５００が配設されている。
【００１２】
サーバ１００は、図２を参照して後述するように、記憶部１１０に広告情報テーブル１１１、ＱＲ(Quick Response code)コード情報テーブル１１２、自社ＰＲ情報テーブル１１３、電柱所在地テーブル１１４、電柱２次元配置情報１１５、災害復旧情報１１６等を記憶し、各テーブルのレコードのデータおよび各種情報を、適宜、通信線４００を介して各電柱２００に取り付けられた情報表示装置３００に送信するようになっている。
【００１３】
情報表示装置３００は、図３を参照して後述するように、各種情報を表示する表示部３０７を有し、表示部３０７の画面には、電柱番号が表示される電柱番号表示領域と、電柱２００の所在地が表示される電柱所在地表示領域と、企業の広告情報およびＱＲコード情報、自社ＰＲ情報、災害復旧情報等が表示される広告表示領域とが設定され、各情報はそれぞれ独立して対応する表示領域に同時に表示でき、また、適宜更新できるようになっている。
【００１４】
図２は、サーバ１００の構成例を示すブロック図である。同図に示すように、サーバ１００は、ＲＯＭ(Read Only Memory)１０２に記憶されている制御プログラムに従って各種処理を実行するとともに、各部を制御するＣＰＵ(Central Processing Unit)１０１と、制御プログラムや各種設定値等を記憶するＲＯＭ１０２と、ＣＰＵ１０１に各種処理を実行させる制御プログラムが展開されるとともに、各種処理が実行されるときに必要となる各種データが一時的に記憶されるＲＡＭ(Random Access Memory)１０３と、各種データやコマンドを入力するためのキーボードやマウス等からなる操作部１０５と、操作部１０５の操作に対応するデータやコマンドをバス１３０を介してＣＰＵ１０１に供給するインタフェース（Ｉ／Ｆ）１０４と、各種情報を表示する表示部１０７と、ＣＰＵ１０１の制御下、バス１３０を介して供給された各種情報を表示部１０７に供給するインタフェース（Ｉ／Ｆ）１０６と、広告情報テーブル１１１、ＱＲコード情報テーブル１１２、自社ＰＲ情報テーブル１１３、電柱所在地テーブル１１４、電柱２次元配置情報１１５、災害復旧情報１１６等の各種データを記憶するハードディスクドライブ装置等からなる記憶部１１０と、電柱２００に既設されている通信線４００を介して各電柱２００に取り付けられている情報表示装置３００との間で表示情報等の各種データやコマンド等を送受信する通信制御部１２０等から構成されている。
【００１５】
図３は、情報表示装置３００の構成例を示すブロック図である。同図に示すように、情報表示装置３００は、ＲＯＭ３０２に記憶されている制御プログラムに従って各種処理を実行するとともに、各部を制御するＣＰＵ３０１と、制御プログラムや各種設定値等を記憶するＲＯＭ３０２と、ＣＰＵ３０１に各種処理を実行させる制御プログラムが展開されるとともに、各種処理が実行されるときに必要となる各種データが一時的に記憶されるＲＡＭ３０３と、各種データやコマンドを入力するための複数のボタン等からなる操作部３０５と、操作部３０５の操作に対応するデータやコマンドをバス３４０を介してＣＰＵ３０１に供給するインタフェース（Ｉ／Ｆ）３０４と、電柱番号、電柱所在地、広告情報、ＱＲコード、災害復旧情報等の各種表示情報を表示する表示部３０７と、ＣＰＵ３０１の制御下、バス３４０を介して供給された各種表示情報を表示部３０７に供給するインタフェース（Ｉ／Ｆ）３０６と、後述する広告情報テーブル３２１、ＱＲコード情報テーブル３２２、自社ＰＲ情報テーブル３２３、電柱所在地テーブル３２４、災害復旧情報３２６、電柱ＩＤ（識別符号：identifier）情報３２５等の各種データを記憶するハードディスクドライブ装置等からなる記憶部３２０と、電柱２００に既設されている通信線４００を介してサーバ１００との間で表示情報等の各種データやコマンド等を送受信する通信制御部３３０等から構成されている。
【００１６】
図４は、サーバ１００の記憶部１１０に記憶されている広告情報テーブル１１１の構成例を示している。広告情報テーブル１１１は、会社名（または会社識別情報（会社ＩＤ））と、広告ＩＤと、広告情報（広告情報自体、または広告情報が格納されているファイル名等）と、表示保持時間と、有効期間等の各項目によって構成されている。
【００１７】
この例では、広告情報テーブル１１１は、会社名が「○○株式会社」、広告ＩＤが「０００１」、広告情報が格納されているファイル名が「ａａａ」、表示保持時間が「１０」（単位は例えば秒）、有効期間が「２００６１００１−２００６１２３１」のレコードと、会社名が「○○株式会社」、広告ＩＤが「０００２」、広告情報が格納されているファイル名が「ｂｂｂ」、表示保持時間が「１０」、有効期間が「２００６１００１−２００７０１３１」のレコード等から構成されている。
【００１８】
図５は、サーバ１００の記憶部１１０に記憶されているＱＲコード情報テーブル１１２の構成例を示している。ＱＲコード情報テーブル１１２は、会社名（または会社識別情報（会社ＩＤ））と、広告ＩＤと、ＱＲコード情報（広告情報自体、または広告情報が格納されているファイル名等）と、有効期間等の各項目によって構成されている。
この例では、ＱＲコード情報テーブル１１２は、会社名が「○○株式会社」、広告ＩＤが「０００１」、ＱＲコード情報が格納されているファイル名が「ｃｃｃ」、有効期間が「２００６１００１−２００６１２３１」のレコードと、会社名が「○○株式会社」、広告ＩＤが「０００２」、ＱＲコード情報が格納されているファイル名が「ｄｄｄ」、有効期間が「２００６１００１−２００７０１３１」のレコード等から構成されている。
【００１９】
図６は、サーバ１００の記憶部１１０に記憶されている電柱所在地テーブル１１４の構成例を示している。電柱所在地テーブル１１４は、各電柱２００に対してユニークに割り当てられた電柱ＩＤと、電柱番号と、所在地情報等の各項目によって構成されている。
【００２０】
この例では、電柱所在地テーブル１１４は、電柱ＩＤが「１２３４５６」と、電柱番号が「０１０」と、所在地情報が「○○県△△市××町３−５−６」のレコードと、電柱ＩＤが「１２３４５７」と、電柱番号が「０２０」と、所在地情報が「○○県△△市××町３−５−７」のレコード等から構成されている。
【００２１】
図７は、サーバ１００の記憶部１１０に記憶されている自社ＰＲ情報テーブル１１３の構成例を示している。自社ＰＲ情報テーブル１１３は、自社のＰＲ情報を特定するためのＩＤと、自社ＰＲ情報（自社ＰＲ（またはイベント）情報自体または自社ＰＲ（またはイベント）情報が格納されているファイル名等）と、表示保持時間と、有効期間等の各項目によって構成されている。
【００２２】
この例では、自社ＰＲ情報テーブル１１３は、ＩＤが「０００１」、自社ＰＲ情報が格納されているファイル名が「ｅｅｅ」、表示保持時間が「２０」（単位は例えば秒）、有効期間が「２００６１００１−２００６１０３１」のレコードと、ＩＤが「０００２」、自社ＰＲ情報が格納されているファイル名が「ｆｆｆ」、表示保持時間が「２０」、有効期間が「２００６１１０１−２００６１１３０」のレコード等から構成されている。
【００２３】
図８は、サーバ１００が各種情報を情報表示装置３００に対して配信する手順を示すフローチャートである。まず、ステップＳ１において、ＣＰＵ１０１により、記憶部１１０に記憶されている広告情報テーブル１１１を構成する各レコードのうちのいずれかが更新されたか否かが判定される。その結果、広告情報テーブル１１１を構成するレコードのいずれもが更新されていないと判定された場合、ステップＳ３に進む。
【００２４】
一方、広告情報テーブル１１１を構成するレコードのうちのいずれかが更新されていると判定された場合、ステップＳ２に進み、ＣＰＵ１０１の制御下、更新されたレコードのデータ（広告情報データ）が電柱２００に既設されている通信線４００を介して各情報表示装置３００に配信される。その後、ステップＳ３に進む。
【００２５】
ステップＳ３においては、ＣＰＵ１０１により、記憶部１１０に記憶されている自社ＰＲ情報テーブル１１３を構成する各レコードのうちのいずれかが更新されたか否かが判定される。その結果、自社ＰＲ情報テーブル１１３を構成する各レコードのうちのいずれもが更新されていないと判定された場合、ステップＳ５に進む。
【００２６】
一方、自社ＰＲ情報テーブル１１３を構成する各レコードのうちのいずれかが更新されていると判定された場合、ステップＳ４に進み、ＣＰＵ１０１の制御下、更新されたレコードのデータ（自社ＰＲ情報データ）が電柱２００に既設されている通信線４００を介して各情報表示装置３００に配信される。その後、ステップＳ５に進む。
【００２７】
ステップＳ５においては、ＣＰＵ１０１により、記憶部１１０に記憶されている災害復旧情報１１６が更新されたか否かが判定される。その結果、災害復旧情報１１６が更新されていないと判定された場合、ステップＳ７に進む。
一方、災害復旧情報１１６が更新されていると判定された場合、ステップＳ６に進み、ＣＰＵ１０１の制御下、更新された災害復旧情報１１６が電柱２００に既設されている通信線４００を介して各情報表示装置３００に配信される。その後、ステップＳ７に進む。
【００２８】
ステップＳ７においては、ＣＰＵ１０１により、記憶部１１０に記憶されている電柱所在地テーブル１１４を構成する各レコードのうちのいずれかが更新されたか否かが判定される。その結果、電柱所在地テーブル１１４を構成する各レコードのうちのいずれもが更新されていないと判定された場合、ステップＳ９に進む。
【００２９】
一方、電柱所在地テーブル１１４を構成する各レコードのうちのいずれかが更新されたと判定された場合、ステップＳ８に進み、更新されたレコードのデータ（電柱所在地データ）が電柱２００に既設されている通信線４００を介して各情報表示装置３００に配信される。その後、ステップＳ９に進む。
【００３０】
ステップＳ９においては、ＣＰＵ１０１により、記憶部１１０に記憶されているＱＲコード情報テーブル１１２を構成する各レコードのうちのいずれかが更新されたか否かが判定される。その結果、ＱＲコード情報テーブル１１２を構成する各レコードのうちのいずれもが更新されていないと判定された場合、ステップＳ１１に進む。
【００３１】
一方、ＱＲコード情報テーブル１１２を構成する各レコードのうちのいずれかが更新されていると判定された場合、ステップＳ１０に進み、更新されたレコードのデータ（ＱＲコード情報データ）が電柱２００に既設されている通信線４００を介して各情報表示装置３００に配信される。その後、ステップＳ１１に進む。
【００３２】
ステップＳ１１においては、電源がオフされるなどして処理の終了が指示されたか否かが判定される。その結果、処理の終了が指示されていないと判定された場合、ステップＳ１に戻り、ステップＳ１以降の処理が繰り返し実行される。一方、処理の終了が指示されたと判定された場合、本処理を終了する。
【００３３】
図９は、情報表示装置３００がサーバ１００より配信されてきた各種表示情報を受信する手順を示すフローチャートである。まず、ステップＳ２１において、サーバ１００から通信線４００を介して、記憶部１１０に記憶されている各テーブルの更新されたレコードのデータ（以下、「更新されたデータ（更新データ）」と称する）が送信されてきたか否かが判定される。
【００３４】
その結果、更新データが送信されてきていないと判定された場合、ステップＳ２４に進む。一方、更新データが送信されてきたと判定された場合、ステップＳ２２に進む。ステップＳ２２においては、ＣＰＵ３０１の制御下、通信制御部３３０により、サーバ１００より通信線４００を介して送信されてきた更新データが受信され、ＲＡＭ３０３に一旦記憶される。
【００３５】
次に、ステップＳ２３において、ＣＰＵ３０１の制御下、ＲＡＭ３０３に一旦記憶された更新データにより、記憶部３２０に記憶されている各テーブル３２１乃至３２４の対応するテーブルの対応するレコードのデータが更新される。その後、ステップＳ２４に進む。
【００３６】
ステップＳ２４においては、サーバ１００から通信線４００を介して更新された災害復旧情報１１６が送信されてきたか否かが判定される。その結果、サーバ１００から通信線４００を介して更新された災害復旧情報１１６が送信されてきていないと判定された場合、ステップＳ２６に進む。
一方、サーバ１００から通信線４００を介して更新された災害復旧情報１１６が送信されてきたと判定された場合、ステップＳ２５に進む。ステップＳ２５においては、ＣＰＵ３０１の制御下、サーバ１００より通信線４００を介して送信されてきた更新された災害復旧情報１１６が通信制御部３３０によって受信され、一旦ＲＡＭ３０３に記憶される。その後、受信した更新された災害復旧情報１１６により記憶部３２０に記憶されている災害復旧情報３２６が更新される。その後、ステップＳ２６に進む。
【００３７】
ステップＳ２６においては、サーバ１００から通信線４００を介して更新された電柱所在地テーブル３２４のレコードのデータ（電柱ＩＤ、電柱番号、および電柱所在地データからなる）が送信されてきたか否かが判定される。その結果、更新された電柱所在地テーブル３２４のレコードのデータが送信されてきていないと判定された場合、ステップＳ２８に進む。
【００３８】
一方、更新された電柱所在地テーブル３２４のレコードのデータが送信されてきたと判定された場合、ステップＳ２７に進み、受信した更新された電柱所在地テーブル３２４のレコードのデータにより記憶部３２０に記憶されている電柱所在地データ３２４および電柱ＩＤ情報３２５が更新される。電柱ＩＤ情報３２５には、電柱番号が含まれる。その後、ステップＳ２８に進む。
【００３９】
ステップＳ２８においては、電源がオフされるなどして処理の終了が指示されたか否かが判定される。その結果、処理の終了が指示されていないと判定された場合、ステップＳ２１に戻り、ステップＳ２１以降の処理が繰り返し実行される。一方、処理の終了が指示されたと判定された場合、本処理を終了する。
【００４０】
図１０は、情報表示装置３００が、サーバ１００より送信されてきた各種情報の表示保持時間をセットする手順を示すフローチャートである。まず、ステップＳ３１において、ＣＰＵ３０１により、記憶部３２０に記憶されている自社ＰＲ情報テーブル３２３から最初のレコードが読み出され、ＲＡＭ３０３に記憶される。
次に、ステップＳ３２において、自社ＰＲ情報テーブル３２３から読み出されたレコードに含まれる表示保持時間が、読み出されたレコードに含まれる自社ＰＲ情報が連続して表示される表示時間としてセットされる。
【００４１】
次に、ステップＳ３３において、自社ＰＲ情報テーブル３２３から全レコードの読み出しが行われたか否かが判定される。その結果、自社ＰＲ情報テーブル３２３から全レコードの読み出しが行われていないと判定された場合、ステップＳ３１に戻り、ステップＳ３１以降の処理が繰り返し実行される。一方、自社ＰＲ情報テーブル３２３から全レコードの読み出しが行われたと判定された場合、ステップＳ３４に進む。
【００４２】
ステップＳ３４においては、ＣＰＵ３０１により、記憶部３２０に記憶されている広告情報テーブル３２１から最初のレコードが読み出され、ＲＡＭ３０３に記憶される。次に、ステップＳ３５において、広告情報テーブル３２１から読み出されたレコードに含まれる表示保持時間が、読み出されたレコードに含まれる広告情報が連続して表示される表示時間としてセットされる。
【００４３】
次に、ステップＳ３６において、広告情報テーブル３２１から全レコードの読み出しが行われたか否かが判定される。その結果、広告情報テーブル３２１から全レコードの読み出しが行われていないと判定された場合、ステップＳ３４に戻り、ステップＳ３４以降の処理が繰り返し実行される。一方、広告情報テーブル３２１から全レコードの読み出しが行われたと判定された場合、ステップＳ３７に進む。
【００４４】
ステップＳ３７においては、記憶部３２０に記憶されている電柱ＩＤ情報３２５が読み出され、ＲＡＭ３０３に記憶される。上述したように、電柱ＩＤ情報３２５は、電柱ＩＤおよび電柱ＩＤに対応する電柱番号からなる。次に、ステップＳ３８において、記憶部３２０から電柱所在地データ３２４が読み出され、ＲＡＭ３０３に記憶される。
次に、ステップＳ３９において、災害復旧情報３２６が記憶部３２０に記憶されている場合、記憶部３２０から災害復旧情報３２６が読み出され、ＲＡＭ３０３に記憶される。その後、本処理を終了する。なお、本処理は、サーバ１００より通信線４００を介して送信されてきた更新データ等を受信したときに実行される。或いは、一定間隔で定期的に実行されるようにすることもできる。
【００４５】
図１１は、サーバ１００から配信された各種情報を表示部３０７に表示する手順を示すフローチャートである。この例では、自社ＰＲ情報は１種類、広告情報は複数種類存在するものとする。まず、ステップＳ４１において、ＲＡＭ３０３に記憶されている電柱ＩＤ情報３２５（電柱ＩＤおよび電柱番号からなる）、電柱所在地データ３２４、自社ＰＲ情報テーブル３２３のレコードのデータ、災害復旧情報３２６がそれぞれ読み出され、それらを表示するための表示データが生成される。生成された表示データは、インタフェース（Ｉ／Ｆ）３０６を介して表示部３０７に供給され、表示される。
災害復旧情報３２６は、記憶部３２０に記憶されている場合にのみ読み出され、表示データが生成され、表示部３０７に表示される。記憶部３２０に災害復旧情報３２６が存在する場合には、他の情報に優先して表示されるようにすることもできる。
【００４６】
次に、ステップＳ４２において、表示中の自社ＰＲ情報は、表示保持時間だけ表示されたか否かが判定される。その結果、表示中の自社ＰＲ情報が表示保持時間だけ表示されていないと判定された場合、ステップＳ４１に戻り、ステップＳ４１以降の処理が繰り返し実行される。一方、表示中の自社ＰＲ情報が表示保持時間だけ表示されたと判定された場合、ステップＳ４３に進む。
【００４７】
ステップＳ４３においては、ＲＡＭ３０３に記憶されている電柱ＩＤ情報３２５（電柱ＩＤおよび電柱番号からなる）、電柱所在地データ３２４、広告情報テーブル３２１の１または複数のレコードのデータ、災害復旧情報３２６がそれぞれ読み出され、それらを表示するための表示データが生成される。生成された表示データは、インタフェース（Ｉ／Ｆ）３０６を介して表示部３０７に供給され、表示される。
【００４８】
災害復旧情報３２６は、記憶部３２０に記憶されている場合にのみ読み出され、表示データが生成され、表示部３０７に表示される。記憶部３２０に災害復旧情報３２６が存在する場合には、他の情報に優先して表示されるようにすることもできる。
【００４９】
次に、ステップＳ４４において、表示中の広告情報は、表示保持時間だけ表示されたか否かが判定される。その結果、表示中の広告情報が表示保持時間だけ表示されていないと判定された場合、ステップＳ４３に戻り、ステップＳ４３以降の処理が繰り返し実行される。一方、表示中の広告情報が表示保持時間だけ表示されたと判定された場合、ステップＳ４５に進む。
【００５０】
ステップＳ４５においては、広告情報が複数存在するか否かが判定される。その結果、広告情報が複数存在しないと判定された場合、ステップＳ４１に戻り、ステップＳ４１以降の処理が繰り返し実行される。一方、広告情報が複数存在すると判定された場合、ステップＳ４６に進む。
【００５１】
ステップＳ４６においては、ＣＰＵ３０１の制御下、表示部３０７に表示されている広告情報が、表示保持時間だけ経過する毎に次の広告情報によって更新される。即ち、ＲＡＭ３０３に記憶されている次のレコードのデータによって表示内容が更新される。次に、ステップＳ４７において、広告情報の表示が一巡し、全ての広告情報が表示されたか否かが判定される。
【００５２】
その結果、全ての広告情報の表示が一巡しておらず、全ての広告情報が表示されていないと判定された場合、ステップＳ４６に戻り、ステップＳ４６以降の処理が繰り返し実行される。一方、全ての広告情報の表示が一巡し、全ての広告情報が表示されたと判定された場合、ステップＳ４８に進む。
【００５３】
ステップＳ４８においては、電源がオフされるなどして処理の終了が指示されたか否かが判定される。その結果、処理の終了が指示されていないと判定された場合、ステップＳ４１に戻り、ステップＳ４１以降の処理が繰り返し実行される。一方、処理の終了が指示されたと判定された場合、本処理を終了する。
【００５４】
図１２は、情報表示装置３００の他の構成例を示すブロック図である。同図に示すように、図１２に示した情報表示装置３００は、表示部３０７の他にさらに表示部３０９を設け、インタフェース（Ｉ／Ｆ）３０８を介してバス３４０に接続されるようにした点が、図１に示した情報表示装置３００とは異なる。その他の構成は図１に示した情報表示装置３００と同様であるので、同一構成要素には同一符号を付し、それらの説明は省略する。
【００５５】
図１３は、表示部３０７の画面が車道側に面し、表示部３０９の画面が歩道側に面するように情報表示装置３００が電柱２００に取り付けられている状態を示している。この例では、情報表示装置３００の表示部３０７，３０９として、将来実用化が期待されている曲げられるディスプレイを用いるようにしているが、板状の液晶ディスプレイや有機ＥＬディスプレイ(organic electroluminescence display)等であってもよい。
【００５６】
図１４は、連続して設置された複数の電柱２００にそれぞれ取り付けられた複数の情報表示装置３００に対して、サーバ１００が切替対象となる広告情報の広告ＩＤと切替時間等を送信する手順を示すフローチャートである。
【００５７】
まず、ステップＳ５１において、サーバ１００のＣＰＵ１０１により、予め操作部１０５が操作されて設定され、記憶部１１０に記憶されている切替時間が取得される。次に、ステップＳ５２において、切替対象となる広告情報の広告ＩＤが取得される。即ち、切替対象となる広告情報には、表示される順番を示す情報が広告ＩＤに関連づけて記憶されているものとする。
【００５８】
次に、ステップＳ５３において、サーバ１００のＣＰＵ１０１は、通信制御部１２０を介して広告情報の表示を切り替える切替時間（同一の広告情報を連続して表示する時間）、切替対象となる広告情報の広告ＩＤ、切替表示の開始時刻および終了時刻を通信線４００経由で各電柱２００に取り付けられた情報表示装置３００に送信する。
【００５９】
次に、ＣＰＵ１０１は、通信制御部１２０を介して通信線４００経由で、各電柱２００に取り付けられた情報表示装置３００に対して、表示切り替えを行うよう指令する。その後、本処理を終了する。
【００６０】
図１５は、連続して設置された複数の電柱２００にそれぞれ取り付けられた複数の情報表示装置３００が複数の広告情報を切り替えて表示する手順を示すフローチャートである。
まず、ステップＳ６１において、情報表示装置３００のＣＰＵ３０１は、サーバ１００から通信線４００を介して送信されてきた切替時間等のデータを受信し、ＲＡＭ３０３に記憶させる。
【００６１】
次に、ステップＳ６２において、サーバ１００より広告情報の切替表示が指示されたか否かが判定される。その結果、広告情報の切替表示が指示されていないと判定された場合、ステップＳ６２の処理が繰り返し実行される。
【００６２】
一方、広告情報の切替表示が指示されたと判定された場合、ステップＳ６３に進む。ステップＳ６３においては、ＣＰＵ３０１により、切替表示の開始時刻になったか否かが判定される。即ち、各情報表示装置３００はそれぞれ図示しない時計回路を有しており、時刻情報をＣＰＵ３０１に対して出力するようになっている。
【００６３】
その結果、切替表示の開始時刻になっていないと判定された場合、ステップＳ６３の処理が繰り返し実行される。一方、切替表示の開始時刻になったと判定された場合、ステップＳ６４に進む。
【００６４】
ステップＳ６４においては、ＣＰＵ３０１の制御下、複数の広告情報が切替時間毎に切り替えられて順次表示される。次に、ステップＳ６５において、切替表示の終了時刻を過ぎたか否かが判定される。その結果、切替表示の終了時刻を過ぎていないと判定された場合、ステップＳ６４に戻り、ステップＳ６４以降の処理が繰り返し実行される。一方、切替表示の終了時刻を過ぎていると判定された場合、本処理を終了する。
【００６５】
切替表示の開始時刻および終了時刻を各情報表示装置３００間で所定時間ずつずらすことにより、切替表示がずれることになる。サーバ１００が、電柱２次元配置情報１１５に基づいて、所定間隔で連続して設置されている複数の電柱２００の電柱ＩＤを取得し、各電柱２００に取り付けられた各情報表示装置３００に対してそれぞれ送信する切替表示の開始時刻および終了時刻を調整することにより、連続して設置された電柱２００に取り付けられた情報表示装置３００における切替表示が、歩行者や自動車の移動速度に応じて切り替わるようにすることができる。即ち、電柱２次元配置情報１１５は、各電柱２００の設置場所を２次元的に把握することができる情報である。各電柱２００の設置場所を２次元的に把握する方法は既存の技術範囲に属するのでここではその説明は省略する。
また、歩行者や自動車の移動速度は、予め設定された値を用いることができる。或いは、各情報表示装置２００にセンサを設け、歩行者や自動車を感知することによって所定の切り替えタイミングを設定し、表示を切り替えるようにすることもできる。或いは、信号機が切り替わるタイミングに表示の切り替えタイミングを同期させるようにすることもできる。その場合、信号機の表示が切り替わったことを情報表示装置３００が検出することができるようにする必要がある。
【００６６】
また、連続して設置された電柱２００に取り付けられた各情報表示装置３００の表示を所定区間において一斉に切り替えるようにすることもできる。これにより、歩行者や自動車の運転者等に対して広告情報、自社ＰＲ情報、災害復旧情報等の様々な表示情報をより強く印象付けることができる。
【００６７】
以上説明したように、本実施の形態によれば、電柱２００に既設されている通信線４００を活用して、各電柱２００に設けた表示装置に、電柱番号のみならず、企業の広告情報、自社のＰＲ情報、電柱所在地情報、災害復旧情報等の様々な情報の表示および更新を低コストかつ効率的に行うことができる。また、電柱所在地情報の表示により、消防署、警察、行政等に対して迅速に現在地を知らせることができる。また、災害復旧情報の表示により、被災者に対して迅速に適切な情報を提供することができ、被害の軽減および復旧の促進に寄与することができる。
【００６８】
なお、上記実施の形態の構成および動作は例であって、本発明の趣旨を逸脱しない範囲で適宜変更することができることは言うまでもない。
【産業上の利用可能性】
【００６９】
本発明は、広告情報、自社ＰＲ情報、災害復旧情報の他にも、様々な情報を表示する場合に適用することができる。
【図面の簡単な説明】
【００７０】
【図１】本発明が適用される広告表示システムの構成例を示す図である。
【図２】サーバの構成例を示すブロック図である。
【図３】情報表示装置の構成例を示すブロック図である。
【図４】サーバの記憶部に記憶されている広告情報テーブルの構成例を示す図である。
【図５】サーバの記憶部に記憶されているＱＲコード情報テーブルの構成例を示す図である。
【図６】サーバの記憶部に記憶されている電柱所在地テーブルの構成例を示す図である。
【図７】サーバの記憶部に記憶されている自社ＰＲ情報テーブルの構成例を示す図である。
【図８】サーバが各種情報を情報表示装置に対して配信する手順を示すフローチャートである。
【図９】情報表示装置がサーバより配信されてきた各種情報を受信する手順を示すフローチャートである。
【図１０】情報表示装置が、サーバより送信されてきた各種情報の表示保持時間をセットする手順を示すフローチャートである。
【図１１】サーバから配信された各種情報を表示部に表示する手順を示すフローチャートである。
【図１２】情報表示装置の他の構成例を示すブロック図である。
【図１３】２つの表示部の一方の画面が車道側に、他方の画面が歩道側にそれぞれ面するように情報表示装置が電柱に取り付けられている状態を示す図である。
【図１４】連続して設置された複数の電柱にそれぞれ取り付けられた複数の情報表示装置に対して、サーバが切替対象となる広告ＩＤと切替時間等を送信する手順を示すフローチャートである。
【図１５】連続して設置された複数の電柱にそれぞれ取り付けられた複数の情報表示装置が複数の広告情報を切り替えて表示する手順を示すフローチャートである。
【符号の説明】
【００７１】
１００…サーバ、３００…表示装置、３０１…情報処理部、４００…通信線、Ｓ２２…受信手段、Ｓ２３，Ｓ２５，Ｓ２７…記憶手段、Ｓ４１，Ｓ４３…表示手段、Ｓ４４，Ｓ４６…切替手段
【図１】
2008181055.tif 000003
【図２】
2008181055.tif 000004
【図３】
2008181055.tif 000005
【図４】
2008181055.tif 000006
【図５】
2008181055.tif 000007
【図６】
2008181055.tif 000008
【図７】
2008181055.tif 000009
【図８】
2008181055.tif 000010
【図９】
2008181055.tif 000011
【図１０】
2008181055.tif 000012
【図１１】
2008181055.tif 000013
【図１２】
2008181055.tif 000014
【図１３】
2008181055.tif 000015
【図１４】
2008181055.tif 000016
【図１５】
2008181055.tif 000017